(57)【要約】      （修正有）【課題】感光ドラムをクリーニングするときに、感光ドラムの表面損傷を抑えることができるクリーニングシートを提供する。【解決手段】クリーニングシートは、基材シート１１０と、基材シート１１０上に配置されている支持部材１２０と、支持部材１２０に支持されているクリーニング部材１３０と、前側係合部と、後側係合部と、を備えている。クリーニング部材１３０は、支持部材１２０に支持される第１部分１３１と、第１部分１３１以外の第２部分１３２と、を備え、第２部分１３２は、基材シート１１０に対して間隔を隔てて配置されている。【選択図】図８
2014123078.tif 000002
【特許請求の範囲】
【請求項１】
感光ドラムと転写部材とのニップ部に挟持された状態で、前記感光ドラムが回転するこ
とによって、前記感光ドラムをクリーニングするためのクリーニングシートであって、
基材シートと、
前記基材シートに支持される支持部材と、
前記支持部材に支持され、前記感光ドラムをクリーニングするためのクリーニング部材
と、を備え、
前記クリーニング部材は、
前記支持部材に支持される第１部分と、
前記基材シートとの間に間隔を隔てて配置され、前記第１部分以外の第２部分と、を有
することを特徴とする、クリーニングシート。
【請求項２】
前記支持部材は、弾性部材からなることを特徴とする請求項１に記載のクリーニングシ
ート。
【請求項３】
前記第２部分は、前記ニップ部と対応する第１領域と、前記第１領域以外の第２領域と
、を含むことを特徴とする、請求項２に記載のクリーニングシート。
【請求項４】
前記第１部分は、前記クリーニングシートが前記ニップ部に挟持されたときに、前記第
２部分よりも前記感光ドラムの回転方向上流側に配置されるように構成されていることを
特徴とする請求項１から請求項３のいずれか一項に記載のクリーニングシート。
【請求項５】
前記支持部材は、前記感光ドラムの表面に沿う円弧形状の曲面を有することを特徴とす
る請求項１から請求項４のいずれか一項に記載のクリーニングシート。
【請求項６】
前記クリーニング部材は、前記基材シートの略全体を覆うように形成されることを特徴
とする請求項１から請求項５のいずれか一項に記載のクリーニングシート。
【請求項７】
前記クリーニング部材は、所定の間隔を空けて複数配置されることを特徴とする請求項
１から請求項５のいずれか一項に記載のクリーニングシート。
【請求項８】
前記基材シートは、すべり易い材料からなることを特徴とする請求項１から請求項７の
いずれか一項に記載のクリーニングシート。
【請求項９】
請求項１から請求項８のいずれか一項に記載のクリーニングシートと、
前記感光ドラムと、
前記転写部材と、
前記転写ベルトの電荷を除去する除電部材と、を備えた画像形成装置であって、
前記転写部材は、前記感光ドラムと接触する無端状の転写ベルトであり、
前記除電部材は、前記転写ベルトの内側、かつ、前記ニップ部よりも前記感光ドラムの
回転方向下流側に配置され、
前記支持部材は、前記ニップ部を挟んで前記除電部材とは反対側に配置されていること
を特徴とする画像形成装置。
【発明の詳細な説明】
【技術分野】
【０００１】
本発明は、感光ドラムをクリーニングするためのクリーニングシートおよびそのクリー
ニングシートを備えた画像形成装置に関する。
【背景技術】
【０００２】
従来より、感光ドラムの表面に接触させる接触部としての異物除去部と、異物除去部が
貼着される弾性体としてのスポンジ部材と、スポンジ部材を支持するための支持部とを備
えた異物除去部材が知られている（特許文献１参照）。
【先行技術文献】
【特許文献】
【０００３】
【特許文献１】特開２００４−１０９３１９号公報
【発明の概要】
【発明が解決しようとする課題】
【０００４】
しかしながら、この異物除去部材に備えられたスポンジ部材は、感光ドラムと支持部と
のニップ部に配置されている。そのため、スポンジ部材に貼着された異物除去部は、感光
ドラムの表面に強く押圧されてしまい、感光ドラムの表面を傷つけてしまう恐れがあった
。
【０００５】
そこで、本発明は、感光ドラムをクリーニングするときに、感光ドラムの表面損傷を抑
えることを目的とする。
【課題を解決するための手段】
【０００６】
上記の課題を達成するため、本発明のクリーニングシートは、感光ドラムと転写部材と
の間に挟持された状態で、感光ドラムが回転することによって、感光ドラムをクリーニン
グするクリーニングシートであって、基材シートと、基材シートに支持される支持部材と
、支持部材に支持され、感光ドラムをクリーニングするクリーニング部材と、を備え、ク
リーニング部材は、支持部材に支持される第１部分と、基材シートとの間に間隔を隔てて
配置され、第１部分以外の第２部分と、を有することを特徴とする。
【０００７】
このような構成によれば、クリーニングシートを感光ドラムと転写部材との間に挟持し
たときに、支持部材は、感光ドラムと転写部材との間に挟持されない。そのため、感光ド
ラムに掛かる接触圧は、支持部材が第２部分に配置された場合と比べ、低減される。その
結果、感光ドラムの表面が損傷することを抑制できる。
【０００８】
前記したクリーニングシートにおいて、支持部材は、弾性部材であることが望ましい。
【０００９】
このような構成によれば、クリーニングシートを感光ドラムと転写部材との間に挟持し
たときに、支持部材は、感光ドラムの表面に沿うように弾性変形する。そのため、感光ド
ラムと転写部材との間に挟持されない第１部分も感光ドラムと接触させることができる。
言い換えると、感光ドラムとクリーニング部材との接触面積を増やすことができる。その
結果、クリーニング性の向上を図ることができる。
【００１０】
前記したクリーニングシートにおいて、第２部分は、第１領域と、第１領域以外の第２
領域とを含んでいることが望ましい。
【００１１】
このような構成によれば、クリーニングシートを感光ドラムと転写部材との間に挟持し
たときに、支持部材が弾性変形してニップ部に挟持されることを抑制できる。その結果、
感光ドラムの表面が損傷することを抑制できる。
【００１２】
前記したクリーニングシートにおいて、第１部分は、クリーニングシートが感光ドラム
と転写部材との間に挟持されたときに、第２部分よりも感光ドラムの回転方向上流側に配
置されるように構成されていることが望ましい。
【００１３】
このような構成によれば、クリーニングシートを感光ドラムと転写部材との間に挟持し
たときに、クリーニング部材は、感光ドラムの回転方向下流側に引き込まれる。そのため
、第１部分が、第２部分よりも感光ドラムの回転方向下流側に配置された場合と比べ、ク
リーニング部材の撓みを抑制できる。したがって、クリーニング部材を、感光ドラムに確
実に接触させることができる。その結果、クリーニング性の向上を図ることができる。
【００１４】
前記したクリーニングシートにおいて、支持部材は、感光ドラムの表面に沿う円弧形状
の曲面を有していることが望ましい。
【００１５】
このような構成によれば、クリーニングシートを感光ドラムと転写部材との間に挟持さ
せたときに、クリーニング部材の第１部分も感光ドラムと接触させることができる。言い
換えると、感光ドラムとクリーニング部材との接触面積を増やすことができる。その結果
、クリーニング性の向上を図ることができる。
【００１６】
前記したクリーニングシートにおいて、クリーニング部材は、基材シートの略全体を覆
うように形成されることが望ましい。
【００１７】
このような構成によれば、１枚のクリーニング部材で複数の感光ドラムをクリーニング
することができる。その結果、クリーニングシートの部品点数を抑えることができる。
【００１８】
前記したクリーニングシートにおいて、クリーニング部材は、所定の間隔を空けて複数
配置されることが望ましい。
【００１９】
このような構成によれば、クリーニング部材を基材シートの略全体にわたって形成する
場合に比べ、クリーニング部材の使用量を抑えることができる。そのため、クリーニング
シートのコストを抑えることができる。
【００２０】
前記したクリーニングシートにおいて、基材シートは、すべり易い材料からなることが
望ましい。
【００２１】
このような構成によれば、クリーニングシートを感光ドラムと転写部材との間に挟持し
たときに、転写部材が基材シートとの摺接により損傷することを抑制できる。
【００２２】
前記したクリーニングシートと、感光ドラムと、感光ドラムと接触する無端状の転写ベ
ルトとを備えた画像形成装置であって、転写ベルトは、ベルトの内側、かつ、感光ドラム
と転写ベルトとのニップ部よりも感光ドラムの回転方向下流側にベルトの電荷を除電する
除電部材を有し、支持部材は、転写ベルトを挟んで除電部材とは反対側に配置されている
ことが望ましい。
【００２３】
このような構成によれば、クリーニングシートを感光ドラムと転写ベルトとの間に挟持
させたときに、転写ベルトが支持部材からの押圧力を受けて撓んだ場合でも、転写ベルト
の内側が除電部材と接触することを抑制できる。その結果、転写ベルトの損傷を抑制でき
る。
【発明の効果】
【００２４】
本発明によれば、クリーニングシートを用いて感光ドラムをクリーニングするときに、
感光ドラムの表面損傷を抑えることができる。
【図面の簡単な説明】
【００２５】
【図１】カラーレーザプリンタの断面の模式図。
【図２】カラーレーザプリンタからプロセスユニットを引き出した状態の断面の模式図。
【図３】ドロワフレームを左上方から見た斜視図。
【図４】ドロワフレームを右下方から見た斜視図。
【図５】クリーニングシートを左上方から見た斜視図。
【図６】クリーニングシートの構成を簡略化して示す説明図。
【図７】クリーニングシートを取り付けられたプロセスユニットを左上方から見た斜視図。
【図８】クリーニング中のクリーニングシートを簡略化して示す説明図。
【図９】図６に示す鎖線領域の拡大図。
【図１０】図９に示す鎖線領域の拡大図。
【図１１】支持部材の他の実施形態を示す説明図。
【図１２】支持部材の他の実施形態を示す説明図。
【図１３】支持部材の他の実施形態を示す説明図。
【図１４】クリーニング部材の他の実施形態を示す説明図。
【発明を実施するための形態】
【００２６】
＜実施形態１＞
本発明の実施形態１について、適宜図面を参照しながら詳細に説明する。以下の説明に
おいて、方向は、ユーザが一般的にカラーレーザプリンタ１を使用する方向を基準として
説明する。すなわち、紙面に向かって左側を「前側」、紙面に向かって右側を「後側」、
紙面に向かって上側を「上側」、紙面に向かって下側を「下側」、紙面に向かって奥側を
「左側」、紙面に向かって手前側を「右側」とする。
１．カラーレーザプリンタの全体構成
まず、図１および図２を参照して、カラーレーザプリンタ１の全体構成を説明する。
【００２７】
カラーレーザプリンタ１は、開口部１２を有する装置本体１０と、用紙を供給する給紙
部２０と、給紙された用紙に画像を形成する画像形成部３０と、画像が形成された用紙を
排出する排紙部８０と、を備えている。
【００２８】
装置本体１０は、開口部１２を開閉するように構成されているフロントカバー１１を備
えている。
【００２９】
画像形成部３０は、装置本体１０内に配置され、スキャナユニット４０と、プロセスユ
ニット５０と、転写ユニット６０と、定着ユニット７０と、を備えている。
【００３０】
スキャナユニット４０は、装置本体１０内の上部に配置され、後述する４つの感光ドラ
ム５８Ｋ、５８Ｙ、５８Ｍ、５８Ｃ上に静電潜像を形成する。
【００３１】
プロセスユニット５０は、装置本体１０の開口部１２を介して、装置本体１０に着脱可
能に構成されている。また、プロセスユニット５０は、ドラムフレーム５１と、４つの感
光ドラム５８Ｋ、５８Ｙ、５８Ｍ、５８Ｃと、４つの現像カートリッジ５９Ｋ、５９Ｙ、
５９Ｍ、５９Ｃとを備えている。ドラムフレーム５１は、後述するクリーニングシート１
００が装着可能である。各感光ドラム５８Ｋ、５８Ｙ、５８Ｍ、５８Ｃは、ドラムフレー
ム５１の底部に配置され、ドラムフレーム５１の前側から、ブラック（Ｋ）印字用感光ド
ラム５８Ｋ、イエロー（Ｙ）印字用感光ドラム５８Ｙ、マゼンタ（Ｍ）印字用感光ドラム
５８Ｍ、シアン（Ｃ）印字用感光ドラム５８Ｃの順に、一定の間隔を隔てて配置されてい
る。また、各感光ドラム５８Ｋ、５８Ｙ、５８Ｍ、５８Ｃは、同一構造であるものの、異
なる色のトナーを用いて印字する点で相違している。現像カートリッジ５９Ｋ、５９Ｙ、
５９Ｍ、５９Ｃは、ドラムフレーム５１に着脱可能であり、ブラック（Ｋ）トナー、イエ
ロー（Ｙ）トナー、マゼンタ（Ｍ）トナー、シアン（Ｃ）トナーをそれぞれ収容している
。また、現像カートリッジ５９Ｋ、５９Ｙ、５９Ｍ、５９Ｃは、同一構造であるものの、
異なる色のトナーを収容している点で相違している。
【００３２】
転写ユニット６０は、給紙部２０とプロセスユニット５０との間に配置され、駆動ロー
ラ６１と、従動ローラ６２と、転写部材の一例としての転写ベルト６３と、４つの転写ロ
ーラ６５Ｋ、６５Ｙ、６５Ｍ、６５Ｃと、４つの除電針６６Ｋ、６６Ｙ、６６Ｍ、６６Ｃ
と、を備えている。駆動ローラ６１は、図示しない駆動モータによって回転駆動されてい
る。従動ローラ６２は、駆動ローラ６１からの駆動力を受けて駆動される転写ベルト６３
に従動回転する。また、駆動ローラ６１および従動ローラ６２は、前後方向に離間して平
行に配置されている。転写ベルト６３は、無端状のベルトであり、駆動ローラ６１および
従動ローラ６２に巻回するように配置されている。また、転写ベルト６３の外側の面は、
４つの感光ドラム５８Ｋ、５８Ｙ、５８Ｍ、５８Ｃと接触し、４つのニップ部６４Ｋ、６
４Ｙ、６４Ｍ、６４Ｃを形成している。４つの転写ローラ６５Ｋ、６５Ｙ、６５Ｍ、６５
Ｃは、転写ベルト６３の内側の面に接触し、４つの感光ドラム５８Ｋ、５８Ｙ、５８Ｍ、
５８Ｃと対応するように一定の間隔を隔てて配置されている。また、各転写ローラ６５Ｋ
、６５Ｙ、６５Ｍ、６５Ｃは、図示しない制御装置によって、バイアスが印加されるよう
に構成されている。各除電針６６Ｋ、６６Ｙ、６６Ｍ、６６Ｃは、対応する感光ドラム５
８Ｋ、５８Ｙ、５８Ｍ、５８Ｃ上から対応するニップ部６４Ｋ、６４Ｙ、６４Ｍ、６４Ｃ
を介して転写ベルト６３上に移動した電荷を除電している。また、各除電針６６Ｋ、６６
Ｙ、６６Ｍ、６６Ｃは、転写ベルト６３の内側、かつ、対応するニップ部６４Ｋ、６４Ｙ
、６４Ｍ、６４Ｃよりも後側に配置されている。
【００３３】
定着ユニット７０は、プロセスユニット５０および転写ユニット６０の後側に配置され
、用紙上に転写されたトナー像を熱定着する。
【００３４】
排紙部８０は、スキャナユニット４０の後側に配置され、用紙を装置本体１０外に排出
する。
【００３５】
このように構成されるカラーレーザプリンタ１の制御装置は、給紙部２０にて給紙され
た用紙を画像形成部３０へ搬送する。ここで、制御装置は、スキャナユニット４０により
感光ドラム５８上に静電潜像を形成する。その後、制御装置は、各現像カートリッジ５９
Ｋ、５９Ｙ、５９Ｍ、５９Ｃ内のトナーを用いて対応する感光ドラム５８Ｋ、５８Ｙ、５
８Ｍ、５８Ｃ上にトナー像を形成する。そして、制御装置は、各感光ドラム５８Ｋ、５８
Ｙ、５８Ｍ、５８Ｃ上に形成されたトナー像を、各感光ドラム５８Ｋ、５８Ｙ、５８Ｍ、
５８Ｃと転写ベルト６３との間を通過する用紙に転写する。最後に、制御装置は、用紙に
転写されたトナー像を熱定着し、熱定着された用紙を排紙部８０により装置本体１０外に
排出する。
２．ドロワフレーム５１の構成
次に、図３および図４を参照してドロワフレーム５１の構成を説明する。
【００３６】
ドロワフレーム５１は、上方に開口する箱状の形状を有しており、左側壁５２と、右側
壁５３と、前壁５４と、後壁５６と、３つの仕切り壁５７ａ、５７ｂ、５７ｃと、を備え
ている。
【００３７】
左側壁５２は、各感光ドラム５８Ｋ、５８Ｙ、５８Ｍ、５８Ｃの左右方向の左側端部を
支持している。
【００３８】
右側壁５３は、各感光ドラム５８Ｋ、５８Ｙ、５８Ｍ、５８Ｃの左右方向の右側端部を
支持している。
【００３９】
前壁５４は、左側壁５２および右側壁５３の前側端部と連結するように構成され、前側
取手部５４ａと、ドロワ側係合部５５とを有している。前側取手部５４ａは、前壁５４の
前側に配置され、ユーザが指を引っかけられるように、下方に向けて開口する穴部を有し
ている。ドロワ側係合部５５は、前壁５４の後側に配置され、後述するクリーニングシー
ト１００の前側係合部１４０が係合するように構成されている。ドロワ側係合部５５は、
鉤状部５５ａと、左側凹部５５ｂと、右側凹部５５ｃとを有している。鉤状部５５ａは、
後述するクリーニングシート１００の係合口１４３ａが係合するように、先端が鉤状に屈
曲している。左側凹部５５ｂは、鉤状部５５ａの左側端部に隣接して配置されている。右
側凹部５５ｃは、鉤状部５５ａの右側端部に隣接して配置されている。また、左側凹部５
５ｂおよび右側凹部５５ｃは、係合口１４３ａの内側の縁と係合するように構成されてい
る。また、左側凹部５５ｂの左右方向の長さは、ユーザがクリーニングシート１００を表
裏反対向きに取り付けないように、右側凹部５５ｃの左右方向の長さに比べて広くなって
いる。
【００４０】
後壁５６は、左側壁５２および右側壁５３の後側端部と連結するように構成され、後側
取手部５６ａを有している。後側取手部５６ａは、後壁５６の上端に配置され、ユーザが
指を引っかけられるように、前後方向に貫通する穴部を有している。
【００４１】
３つの仕切り壁５７ａ、５７ｂ、５７ｃは、左側壁５２と右側壁５３とを連結するよう
に構成されている。また、３つの仕切り壁５７ａ、５７ｂ、５７ｃは、左側壁５２と右側
壁５３と前壁５４と後壁５６とに囲まれた空間内に、４つの現像カートリッジ５９Ｋ、５
９Ｙ、５９Ｍ、５９Ｃを装着するための４つの装着空間を形成している。
３．クリーニングシート１００の構成
次に、図５、図６および図１０を参照して、クリーニングシート１００の構成について
説明する。
【００４２】
クリーニングシート１００は、基材シート１１０と、基材シート１１０上に配置されて
いる４つの支持部材１２０Ｋ、１２０Ｙ、１２０Ｍ、１２０Ｃと、支持部材１２０に支持
されている４つのクリーニング部材１３０Ｋ、１３０Ｙ、１３０Ｍ、１３０Ｃと、前側係
合部１４０と、後側係合部１５０と、を備えている。
３．１  基材シート１１０について
基材シート１１０は、紙または樹脂シートなどのすべり易い材料からなる。
【００４３】
また、基材シート１１０の左右方向の長さは、感光ドラム５８の感光層塗布領域の左右
方向の長さと等しい。また、基材シート１１０の前後方向の長さは、ドロワフレーム５１
の前後方向の長さと等しい。
３．２  支持部材１２０Ｋ、１２０Ｙ、１２０Ｍ、１２０Ｃについて
４つの支持部材１２０Ｋ、１２０Ｙ、１２０Ｍ、１２０Ｃは、たとえば、樹脂、ゴムま
たはスポンジなどからなり、望ましくは、弾性部材であるスポンジからなる。
【００４４】
また、各支持部材１２０Ｋ、１２０Ｙ、１２０Ｍ、１２０Ｃの左右方向の長さは、基材
シート１１０の左右方向の長さと等しい。また、各支持部材１２０Ｋ、１２０Ｙ、１２０
Ｍ、１２０Ｃの前後方向の長さは、後述する対応するクリーニング部材１３０Ｋ、１２０
Ｙ、１２０Ｍ、１２０Ｃの長さよりも短い。
【００４５】
また、各支持部材１２０Ｋ、１２０Ｙ、１２０Ｍ、１２０Ｃは、両面テープなどによっ
て、基材シート１１０と接着されている。さらに、各支持部材１２０Ｋ、１２０Ｙ、１２
０Ｍ、１２０Ｃは、クリーニングシート１００を４つの感光ドラム５８Ｋ、５８Ｙ、５８
Ｍ、５８Ｃと転写ベルト６３との間に挟持したときに、対応するニップ部６４Ｋ、６４Ｙ
、６４Ｍ、６４Ｃよりも前側に配置され、かつ、転写ベルト６３を挟んで対応する除電針
６６Ｋ、６６Ｙ、６６Ｍ、６６Ｃと上下方向に対向配置されない。
３．３  クリーニング部材１３０Ｋ、１３０Ｙ、１３０Ｍ、１３０Ｃについて
４つのクリーニング部材１３０Ｋ、１３０Ｙ、１３０Ｍ、１３０Ｃは、布または表面に
研磨剤が塗布された研磨シートなどからなる。
【００４６】
また、各クリーニング部材１３０Ｋ、１３０Ｙ、１３０Ｍ、１３０Ｃの左右方向の長さ
は、基材シート１１０の左右方向の長さと等しい。また、各クリーニング部材１３０Ｋ、
１３０Ｙ、１３０Ｍ、１３０Ｃの前後方向の長さは、対応するニップ部６４Ｋ、６４Ｙ、
６４Ｍ、６４Ｃの前後方向の長さ以上である。
３．４  前側係合部１４０および後側係合部１５０について
前側係合部１４０は、前壁延在部１４１と、装着規制部１４２とを備えている。
【００４７】
前側延在部１４１は、基材シート１１０の前側端部に連結され、前後方向に貫通する開
口部１４１ａを有している。開口部１４１ａは、前側延在部１４１の下端部に形成され、
クリーニングシート１００がプロセスユニット５０に装着されたときに、前側取手部５４
ａを前側延在部１４１の後側から前側に向けて突出させる。装着規制部１４２は、前側延
在部１４１の上端から後方に延びるように構成され、係合部１４３を備えている。係合部
１４３は、装着規制部１４２の略中央部を切り曲げすることで構成されており、係合孔１
４３ａを有している。係合孔１４３ａは、前後方向に貫通し、ドロワ側係合部５５と係合
するように構成されている。また、係合孔１４３ａの略中心は、係合部１４３の略中心よ
りも右側に偏って配置されている。
【００４８】
後側係合部１５０は、後側延在部１５１と、上壁部１５２とを備えている。
【００４９】
後側延在部１５１は、基材シート１１０の後側端部に連結され、左方から見て略Ｃ字状
に形成されている。
【００５０】
上壁部１５２は、後側延在部１５１の上端部から前方に延びるように構成され、左側係
合補助部１５２ａおよび右側係合補助部１５２ｂを備えている。左側係合補助部１５２ａ
は、上壁部１５２の左右方向の左側端部に配置され、下方に向けて切り曲げされている。
右側係合補助部１５２ｂは、上壁部１５２の左右方向の右側端部に配置され、下方に向け
て切り曲げされている。左側係合補助部１５２ａおよび右側係合補助部１５２ｂは、クリ
ーニングシート１００がプロセスユニット５０に装着されたときに、後壁５７の上面と係
合する。
【００５１】
また、後側係合部１５０は、略中央部に形成された穴部１５３を有している。穴部１５
３は、クリーニングシート１００がプロセスユニット５０に装着されたときに、後側取手
部５６ａを上方に突出させる。
４．クリーニング部材の詳細な説明
次に、図７および図８を参照して、クリーニング部材１３０Ｋ、１３０Ｙ、１３０Ｍ、
１３０Ｃの構成について詳しく説明する。また、以下からは、クリーニング部材１３０Ｋ
、１３０Ｙ、１３０Ｍ、１３０Ｃのうち、感光ドラム５８Ｋをクリーニングするためのク
リーニング部材１３０Ｋについて説明する。しかし、クリーニング部材１３０Ｋの構造は
、クリーニング部材１３０Ｙ、１３０Ｍ、１３０Ｃと同一構造である。
４．１  クリーニング部材１３０Ｋの構成
クリーニング部材１３０Ｋは、支持部材１２０Ｋに支持される第１部分１３１Ｋと、第
１部分以外の第２部分１３２Ｋとを備えている。
【００５２】
第１部分１３１Ｋは、クリーニング部材１３０Ｋが感光ドラム５８Ｋと転写ベルト６３
との間に挟持されたときに、ニップ部６４Ｋに挟持されないように配置されている。また
、第１部分１３１Ｋは、第２部分１３２Ｋよりも前側に配置されている。また、第１部分
１３１Ｋの左右方向の長さは、感光ドラム５８Ｋの感光層塗布領域の左右方向の長さと等
しい。また、第１部分１３１Ｋの前後方向の長さは、支持部材１２０Ｋの前後方向の長さ
と等しい。
【００５３】
第２部分１３２Ｋは、第１領域１３２ａＫと、第１領域１３２ａＫ以外の第２領域１３
２ｂＫとを有している。
【００５４】
第１領域１３２ａＫは、クリーニングシート１００がプロセスユニット５０に装着され
たときに、感光ドラム５８Ｋと転写ベルト６３との間のニップ部６４Ｋに挟持される。ま
た、第１領域１３２ａＫの左右方向の長さは、第１部分１３１Ｋの左右方向の長さと等し
い。また、第１領域１３２ａＫの前後方向の長さは、ニップ部６４Ｋの前後方向の長さと
等しい。したがって、第１領域１３２ａＫは、ニップ部６４Ｋの前後方向の長さを基に配
置される。ここで、ニップ部６４Ｋの前後方向の長さの測定方法の一例について説明する
。まず、装置本体１０から転写ベルト６３を取り出した状態で、転写ベルト６３上にトナ
ーを敷き詰め、転写ベルト６３上に感光ドラム５８Ｋを接触させる。その後、感光ドラム
５８Ｋを転写ベルト６３から離間させる。すると、転写ベルト６３上に敷き詰められたト
ナーは、感光ドラム５８Ｋの表面に付着する。これにより、転写ベルト６３上から除去さ
れたトナーは、ニップ部６４Ｋの長さと一致する。これにより、ニップ部６４Ｋの長さは
測定され、この長さを基に第１領域１３２ａＫは配置される。
【００５５】
第２領域１３２ｂＫは、第１領域１３２ａＫよりも前側に配置され、クリーニング部材
１３０Ｋが感光ドラム５８Ｋと転写ベルト６３の間に挟持されたときに、支持部材１２０
Ｋに支持される。また、第１領域１３２ａＫの左右方向の長さは、第１部分１３１Ｋの左
右方向の長さと等しい。また、第２領域１３２ｂＫの前後方向の長さは、支持部材１２０
Ｋの上下方向の長さと等しい。
【００５６】
また、第２部分１３２Ｋは、基材シート１１０に対して間隔を隔てて配置されている。
また、第２部分１３２Ｋは、クリーニングシート１００が感光ドラム５８Ｋと転写ベルト
６３との間に挟持されたときに、感光ドラム５８Ｋおよび基材シート１１０の両方と接触
するように構成されている。
５．クリーニング方法
最後に、図９および図１０を参照してクリーニングシート１００を用いて４つの感光ド
ラム５８Ｋ、５８Ｙ、５８Ｍ、５８Ｃをクリーニングするクリーニング方法について説明
する。
５．１  クリーニングシート１００の装着
プロセスユニット５０にクリーニングシート１００が装着される装着工程について説明
する。
【００５７】
まず、ユーザは、装置本体１０に設けられたフロントカバー１１を開放して、開口部１
２からプロセスユニット５０を取り出す。
【００５８】
その後、ユーザは、取り出されたプロセスユニット５０に、クリーニングシート１００
を装着する。
【００５９】
具体的には、ユーザは、クリーニングシート１００の係合孔１４３ａを、ドロワフレー
ム５１のドロワ側係合部５５ａに係合させる。その後、ユーザは、クリーニングシート１
００の開口部１４１ａから、ドロワフレーム５１の前側取手部５４ａを突出させる。その
後、ユーザは、クリーニングシート１００の穴部１５３を、ドロワフレーム５１の後側取
手部５６ａの下端部に引っ掛ける。以上によって、クリーニングシート１００は、プロセ
スユニット５０に装着される。
【００６０】
ここで、装着規制部１４２は、ユーザがブラック印字用現像カートリッジ５９Ｋをドロ
ワフレーム５１に装着できないようにするために、現像カートリッジ５９Ｋが装着される
装着空間に迫り出すように、前側延在部１４１から折り曲げられて配置されている。
【００６１】
また、制御装置は、ブラック印字用現像カートリッジ５９Ｋが装着されていない場合に
は、印刷が開始されないように、カラープリンタ１を制御している。
５．２  クリーニング工程
次に、クリーニングシート１００を用いて感光ドラム５８をクリーニングするクリーニ
ング工程について説明する。
【００６２】
まず、ユーザは、装置本体１０に設けられた図示しないスイッチを押してクリーニング
モードを選択する。これにより、装置本体１０は、クリーニングシート１００を用いてク
リーニングを行うためのスタンバイ状態となる。
【００６３】
ここで、クリーニングモードとは、制御装置が、装置本体１０のフロントカバー１１の
開閉を検知した後、所定時間の間、転写ベルト６３を駆動させずに、各感光ドラム５８Ｋ
、５８Ｙ、５８Ｍ、５８Ｃが回転駆動するモードである。このため、転写ベルト６３は、
クリーニングモード中に基材シート１１０の裏面と摺接しない。したがって、転写ベルト
６３表面の損傷を抑制することができる。
【００６４】
クリーニングモードを選択した後、ユーザは、装置本体１０に設けられたフロントカバ
ー１１を開き、開口部１２からプロセスユニット５０を取り出す。そして、ユーザは、プ
ロセスユニット５０にクリーニングシート１００を装着し、クリーニングシート１０が装
着されたプロセスユニット５０を装置本体１０内に再度装着する。
【００６５】
その後、ユーザは、フロントカバー１１を閉める。すると、制御装置は、クリーニング
モードを開始する。
【００６６】
各感光ドラム５８Ｋ、５８Ｙ、５８Ｍ、５８Ｃは、クリーニングモードが実行されると
、回転駆動して対応するクリーニング部材１３０Ｋ、１３０Ｙ、１３０Ｍ、１３０Ｃと摺
接する。これにより、各感光ドラム５８Ｋ、５８Ｙ、５８Ｍ、５８Ｃは、良好にクリーニ
ングされる。このとき、各クリーニング部材１３０Ｋ、１３０Ｙ、１３０Ｍ、１３０Ｃは
、対応するニップ部６４Ｋ、６４Ｙ、６４Ｍ、６４Ｃに確実に挟持されている。そして、
所定時間経過後に、各感光ドラム５８Ｋ、５８Ｙ、５８Ｍ、５８Ｃは、停止し、クリーニ
ングが終了する。
５．３  クリーニングシート１００の取り外し
次に、プロセスユニット５０からクリーニングシート１００を取り外す取り外し工程に
ついて説明する。
【００６７】
まず、ユーザは、装置本体１０に設けられたフロントカバー１１を開放して、装置本体
１０の開口部１２からクリーニングシート１００が装着されたプロセスユニット５０を取
り出す。その後、ユーザは、取り出されたプロセスユニット５０からクリーニングシート
１００を取り外す。具体的には、ユーザは、クリーニングシート１００の係合孔１４３ａ
を、ドロワフレーム５１のドロワ側係合部５５から取り外す。その後、ユーザは、クリー
ニングシート１００の開口部１４１ａから、ドロワフレーム５１の前側取手部５４ａを前
側に引き抜く。その後、ユーザは、クリーニングシート１００の穴部１５３を、ドロワフ
レーム５１の後側取手部５６ａから取り外す。以上の工程を行うことにより、クリーニン
グシート１００は、プロセスユニット５０から取り外される。
６．実施形態１の作用効果
（１）クリーニング部材１３０Ｋは、支持部材１２０Ｋに支持される第１部分１３１Ｋ
と、第１部分１３１Ｋ以外の第２部分１３２Ｋと、を備え、第２部分１３２Ｋは、基材シ
ート１１０に対して間隔を隔てて配置されている。
【００６８】
このような構成によれば、クリーニングシート１００が感光ドラム５８と転写ベルト６
３との間に挟持されたときに、支持部材１２０Ｋは、感光ドラム５８Ｋと転写ベルト６３
とのニップ部６４Ｋに挟持されない。そのため、感光ドラム５８Ｋに掛かる接触圧は、支
持部材１２０Ｋが第２部分１３２Ｋに配置された場合と比べ、低減される。その結果、感
光ドラム５８Ｋの表面が損傷することを抑制できる。また、クリーニングシート１００が
感光ドラム５８Ｋと転写ベルト６３との間に挟持されたときに、クリーニング部材１３０
Ｋは、感光ドラム５８Ｋの表面に沿うように接触する。そのため、クリーニング部材１３
０Ｋの撓みを抑制でき、クリーニング部材１３０Ｋと感光ドラム５８Ｋを良好に接触させ
ることができる。
【００６９】
（２）支持部材１２０Ｋは、弾性部材からなる。
【００７０】
このような構成によれば、クリーニングシート１００が感光ドラム５８Ｋと転写ベルト
６３との間に挟持されたときに、支持部材１２０Ｋは、感光ドラム５８Ｋの表面に沿うよ
うに弾性変形する。そのため、ニップ部６４Ｋに挟持されない第１部分１３１も感光ドラ
ム５８Ｋと接触させることができる。言い換えると、感光ドラム５８Ｋとクリーニング部
材１３０Ｋとの接触面積を増やすことができる。その結果、クリーニング性の向上を図る
ことができる。
【００７１】
（３）クリーニング部材１３０Ｋの第２部分１３２Ｋは、第１領域１３２ａＫと、第１
領域１３２ａＫ以外の第２領域１３２ｂＫとを含んでいる。そして、第２領域１３２ｂＫ
は、第１部分１３１Ｋと第１領域１３２ａＫとの間に配置されている。
【００７２】
このような構成によれば、クリーニングシート１００が感光ドラム５８Ｋと転写ベルト
６３との間に挟持されたときに、支持部材１２０Ｋが前後方向に弾性変形した場合でも、
ニップ部６４Ｋに挟持されない。その結果、感光ドラム５８の表面が損傷することを抑制
できる。
【００７３】
（４）クリーニング部材１３０Ｋの第１部分１３１Ｋは、クリーニングシート１００が
感光ドラム５８Ｋと転写ベルト６３との間に挟持されたときに、第２部分１３２Ｋよりも
前側に配置されている。
【００７４】
このような構成によれば、クリーニングシート１００が感光ドラム５８Ｋと転写ベルト
６３との間に挟持されたときに、クリーニングシート１００は、感光ドラム５８Ｋの回転
方向下流側に引き込まれる。そのため、第１部分１３１Ｋが、第２部分１３２Ｋよりも感
光ドラム５８Ｋの回転方向下流側に配置された場合と比べ、クリーニングシート１００の
撓みを抑制できる。したがって、クリーニングシート１００を、感光ドラム５８Ｋに確実
に接触させることができる。その結果、クリーニング性の向上を図ることができる。
【００７５】
（５）クリーニング部材は、所定の間隔を空けて配置された４つのクリーニング部材１
３０Ｋ、１３０Ｙ、１３０Ｍ、１３０Ｃからなる。
【００７６】
このような構成によれば、１枚のクリーニング部材を基材シート１１０の略全体にわた
って形成する場合に比べ、クリーニング部材の使用量を抑えることができる。そのため、
クリーニングシート１００のコストを抑えることができる。
【００７７】
（６）基材シート１１０は、紙または樹脂シートなどのすべり易い材料からなる。
【００７８】
このように構成されることで、クリーニングシート１００を感光ドラム５８Ｋと転写ベ
ルト６３との間に挟持したときに、転写ベルト６３が基材シート１１０との摺接により損
傷することを抑制できる。
【００７９】
（７）支持部材１２０Ｋは、ニップ部６４Ｋを挟んで除電針６６Ｋと反対側に配置され
ている。
【００８０】
このような構成によれば、クリーニングシート１００が感光ドラム５８Ｋと転写ベルト
６３との間に挟持されたときに、転写ベルト６３が支持部材１２０Ｋからの押圧力を受け
て撓んだ場合でも、転写ベルト６３の内側と除電針６６Ｋと接触することを抑制できる。
その結果、転写ベルト６３の損傷を抑制できる。
【００８１】
（８）装着規制部１４２は、現像カートリッジ５９Ｋが装着される装着空間に迫り出す
ように、前側延在部１４１から折り曲げられて配置されている。
【００８２】
このような構成によれば、ユーザがブラック印字用現像カートリッジ５９Ｋをドロワフ
レーム５１に装着して、クリーニングシート１００に誤って印字してしまうことを抑制で
きる。
＜実施形態２＞
図１１を参照して、実施形態２のクリーニングシート２００の構成について説明する。
尚、実施形態１と同じ構成の部分については説明を省略する。
【００８３】
実施形態２のクリーニングシート２００は、基材シート１１０と、４つの支持部材２２
０Ｋ、２２０Ｙ、２２０Ｍ、２２０Ｃと、４つのクリーニング部材１３０Ｋ、１３０Ｙ、
１３０Ｍ、１３０Ｃとを有している。基材シートと４つのクリーニング部材の構成は、実
施形態１と同様である。
【００８４】
４つの支持部材２２０Ｋ、２２０Ｙ、２２０Ｍ、２２０Ｃは、それぞれ、平面２２１Ｋ
、２２１Ｙ、２２１Ｍ、２２１Ｃと、曲面２２２Ｋ、２２２Ｙ、２２２Ｍ、２２２Ｃとを
有している。以下、４つの支持部材２２０Ｋ、２２０Ｙ、２２０Ｍ、２２０Ｃのうちの一
つである支持部材２２０Ｋについて説明する。尚、４つの支持部材２２０Ｋ、２２０Ｙ、
２２０Ｍ、２２０Ｃは、同一の構造である。
【００８５】
平面２２１Ｋは、基材シート１１０に接着されている面の反対側に配置され、クリーニ
ング部材１３０Ｋに接着されている。曲面２２２Ｋは、平面２２１Ｋの後側に配置され、
クリーニングシート２００がプロセスユニット５０に装着されたときに、感光ドラム５８
Ｋの表面に沿うような円弧形状を有している。
このような構成によれば、クリーニングシート２００が感光ドラム５８Ｋと転写ベルト６
３との間に挟持されたときに、クリーニング部材１３０は、感光ドラム５８Ｋの表面に沿
って接触する。したがって、感光ドラム５８Ｋとクリーニング部材１３０との接触面積を
増やすことができる。
＜実施形態３＞
図１２を参照して、実施形態３のクリーニングシート３００の構成について説明する。
尚、実施形態１と同様の構成については説明を省略する。また、感光ドラム５８Ｋに対応
する部分のみを説明する。
【００８６】
実施形態３のクリーニングシート３００は、基材シート１１０と、前側支持部材３２０
Ｋと、後側支持部材３２１Ｋと、クリーニング部材３３０Ｋとを有している。尚、前側支
持部材、後側支持部材およびクリーニング部材は、それぞれの感光ドラムに対応するよう
に４つずつ設けられている。基材シート１１０の構成は、実施形態１と同様である。
【００８７】
前側支持部材３２０Ｋおよび後側支持部材３２１Ｋは、たとえば、樹脂、ゴムまたはス
ポンジなどの弾性部材からなり、望ましくは、スポンジからなる。前側支持部材３２０Ｋ
および後側支持部材３２１Ｋの左右方向の長さは、感光ドラム５８Ｋの画像形成領域と等
しい。また、前側支持部材３２０Ｋおよび後側支持部材３２１Ｋの前後方向の長さは、後
クリーニング部材３３０Ｋの前後方向の長さよりも短い。前側支持部材３２０Ｋおよび後
側支持部材３２１Ｋは、基材シート１１０と両面テープで接着されている。
【００８８】
クリーニング部材３３０Ｋは、第１部分３３１Ｋと、第１部分よりも後側に位置してい
る第２部分３３２Ｋ、第２部分よりも後側に位置している第３部分３３３Ｋとを有してい
る。
【００８９】
第１部分３３１Ｋは、前側支持部材３２０Ｋと接触することにより、前側支持部材３２
０Ｋによって支持されている。また、第３部分３３３Ｋは、後側支持部材３２１Ｋと接触
することにより、後側支持部材３２１Ｋによって支持されている。第２部分３３２Ｋは、
基材シート１１０に対して間隔を隔てて配置されている。また、第２部分３３２Ｋは、ク
リーニングシート１００が感光ドラム５８Ｋと転写ベルト６３との間に挟持されたときに
、感光ドラム５８Ｋおよび基材シート１１０の両方と接触するように構成されている。
【００９０】
すなわち、実施形態３のクリーニングシート３００の構成は、実施形態１の支持部材１
２０Ｋを、クリーニング部材１３０Ｋの前側と後側の両方で支持できる構成にしたもので
ある。
＜実施形態４＞
図１３を参照して、実施形態４のクリーニングシート４００の構成について説明する。
尚、実施形態１と同様の構成については説明を省略する。また、感光ドラム５８Ｋに対応
する部分のみを説明する。
【００９１】
実施形態４のクリーニングシート４００は、基材シート１１０と、支持部材４２０Ｋと
クリーニング部材４３０Ｋとを有している。基材シート１１０の構成は、実施形態１と同
様である。
【００９２】
クリーニング部材４３０Ｋは、第１部分４３１Ｋと、第１部分よりも前側に位置してい
る第２部分４３２Ｋとを有している。第１部分４３１Ｋは、支持部材４２０Ｋと接触する
ことにより、支持部材４２０Ｋによって支持されている。
【００９３】
第２部分４３２Ｋは、クリーニングシート１００が感光ドラム５８Ｋと転写ベルト６３
との間に挟持されたときに、感光ドラム５８Ｋおよび基材シート１１０の両方と接触する
ように構成されている。
【００９４】
すなわち、実施形態４のクリーニングシート４００の構成は、実施形態１のクリーニン
グ部材１３０Ｋの第１部分１３１Ｋと第２部分１３２Ｋの前後の位置が反対になった以外
は、実施形態１と同じである。
＜実施形態５＞
図１４を参照して、実施形態５のクリーニングシート５００の構成について説明する。
尚、実施形態１と同様の構成については説明を省略する。
【００９５】
実施形態５のクリーニングシート５００は、基材シート１１０と、４つの支持部材１２
０Ｋ、１２０Ｙ、１２０Ｍ、１２０Ｃと、クリーニング部材５３０とを有している。基材
シート１１０および４つの支持部材１２０Ｋ、１２０Ｙ、１２０Ｍ、１２０Ｃの構成は、
実施形態１と同様である。
【００９６】
クリーニング部材５３０は、クリーニングシート１００が４つの感光ドラム５８Ｋ、５
８Ｙ、５８Ｍ、５８Ｃと転写ベルト６３との間に挟持されたときに、４つの感光ドラム５
８Ｋ、１５８Ｙ、５８Ｍ、５８Ｃの全てに接触するように構成されている。すなわち、ク
リーニング部材５３０の前後方向の長さは、一番前側のニップ部６４Ｋと一番後側のニッ
プ部６４Ｃの間の長さよりも長い。
【００９７】
すなわち、実施形態５のクリーニングシート５００の構成は、実施形態１の４つのクリ
ーニング部材１３０Ｋ、１３０Ｙ、１３０Ｍ、１３０Ｃを、１つのクリーニング部材５３
０とした構成であり、基材シート１１０の略全体を覆うような構成である。
【００９８】
このような構成によれば、１枚のクリーニング部材５３０で複数の感光ドラム５８Ｋ、
５８Ｙ、５８Ｍ、５８Ｃをクリーニングすることができる。その結果、クリーニングシー
ト５００の部品点数を抑えることができる。
＜変形例＞
上記の実施形態において、支持部材およびクリーニング部材は、別部品で形成されてい
たが、それらは一体で形成されていてもよい。
【００９９】
また、上記の実施形態において、転写部材は、転写ベルトであったが、たとえば、転写
ローラであってもよい。
【０１００】
また、前記実施形態において、クリーニング部材をカラープリンタに適用したが、たと
えば、モノクロプリンタ、複写機および複合機などに適用してもよい。
【符号の説明】
【０１０１】
１      カラープリンタ
１０    装置本体
５０    プロセスユニット
５１    ドラムフレーム
５８    感光ドラム
６３    転写ベルト
６４    ニップ部
６６    除電針
１００  クリーニングシート
１１０  基材シート
１２０  支持部材
１３０  クリーニング部材
１３１  第１部分
１３２  第２部分
１３２ａ  第１領域
１３２ｂ  第２領域
１３３  間隔
１４０  前側係合部
１５０  後側係合部
【図１】
2014123078.tif 000003
【図２】
2014123078.tif 000004
【図３】
2014123078.tif 000005
【図４】
2014123078.tif 000006
【図５】
2014123078.tif 000007
【図６】
2014123078.tif 000008
【図７】
2014123078.tif 000009
【図８】
2014123078.tif 000010
【図９】
2014123078.tif 000011
【図１０】
2014123078.tif 000012
【図１１】
2014123078.tif 000013
【図１２】
2014123078.tif 000014
【図１３】
2014123078.tif 000015
【図１４】
2014123078.tif 000016